(57)【要約】【課題】    空気清浄機本体のどの方向からでも発光表示体を確認することができる空気清浄機を提供する。    【解決手段】  本体内の流路を形成する円筒形状の吸気管２を透明の樹脂にて成型することで透光体とし、吸気管２の両端もしくは一方の端に複数個の２色ＬＥＤ１０を設け運転状態を示す発光表示体を形成している。ＬＥＤ１０の設置場所、設置個数については発光表示体１１の表示が本体ケース４の全周より確認できれば特に規制はない。また運転状態の一つとして、汚れレベルを検出する汚れセンサを本体ケース４内に設け、汚れレベルに応じて２色ＬＥＤ１０の発光色を変化させる構成とする。【選択図】図１
2007206430.tif 000002
【特許請求の範囲】
【請求項１】
空気清浄機の外側をカバーする筐体と、前記空気清浄機の運転状態を光で示す発光表示体と、前記発光表示体に光を導く透光体と、前記透光体を照射するための発光体と、前記空気清浄機の吸気口から空気を吸入して空気を浄化する空気浄化部と、前記吸気口から前記空気浄化部へ空気を導く流路を形成する吸気管、とから成る空気清浄機において、
前記透光体および／または前記発光表示体は前記吸気管または筐体の一部または全体を成し、前記吸気管は透光性のある前記筐体部またはスリットを設けた前記筐体の内側または一部として設けられ、前記発光表示体は前記吸気管または前記筐体の全周の少なくとも正反対の位置に設けられることを特徴とする空気清浄機。
【請求項２】
前記空気清浄機の本体の運転ＯＮ／ＯＦＦスイッチとは別に、前記発光体用のＯＮ／ＯＦＦスイッチを設けることを特徴とする請求項１に記載の空気清浄機。
【発明の詳細な説明】
【技術分野】
【０００１】
本発明は、空気清浄機の表示装置に関するものである。  
【背景技術】
【０００２】
従来の空気清浄機の表示装置は、たとえば空気清浄機の発光表示装置を設けたものが知られている(特許文献１)。この従来例において、空気清浄手段を設けた本体と細長形状の透光体の両端から照射するＬＥＤを設けた空気の汚れ度合いを表示する発光表示体とを備え、前記発光表示体を前記本体の前面側に設け表示する構成としている。
前記発光表示体は汚れセンサにより検出された室内の汚れレベルにより、ＬＥＤの発光色を青、または赤に点灯させて表示していた。
また、ＬＥＤで照射し透光体で発生した光は発光表示体より出て反射面で反射され、より明るく表示されていた。
【特許文献１】特開２００５−３３３４号公報
【発明の開示】
【発明が解決しようとする課題】
【０００３】
しかしながら、このような従来の空気清浄機の表示装置においては、次のような問題があった。空気清浄機の表示装置は、空気清浄機本体の前面に発光表示体を設けているために空気清浄機本体の背面方向または左右方向から発光表示体を確認することが出来ず視認性が悪かった。
本発明は、このような問題を解決するためになされたもので、空気清浄機本体のどの方向からでも発光表示体を確認することができる視認性の高い空気清浄機の表示装置を提供することを目的とするものである。
【課題を解決するための手段】
【０００４】
上記問題を解決するため、本発明の空気清浄機は、次のように構成している。
請求項１に記載の発明は、空気清浄機の運転状態を光で示す発光表示体へ透光体で光を導き、発光表示体および／または透光体は吸気口から空気浄化部へ空気を導く吸気管または筐体の一部または全体を成し、その吸気管は筐体の内側または一部として設けられ、発光表示体は吸気管または筐体の全周の少なくとも正反対の位置に設けることを特徴とするものである。
【０００５】
請求項２に記載の発明は、前記空気清浄機の本体の運転ＯＮ／ＯＦＦスイッチとは別に、前記発光体用のＯＮ／ＯＦＦスイッチを設けることを特徴とするものである。
【発明の効果】
【０００６】
請求項１に記載の発明によると、透光体と前記透光体を照射するための発光体により、空気清浄機の本体全周より表示器を確認することができるため視認性を向上させることができる。また、透光体が本体流路を形成する吸気管の少なくとも一部を成すことにより部品点数を減らすことができ、コストダウンを行うことができる。
【０００７】
請求項２に記載の発明によると、前記空気清浄機本体の運転中、停止中に関わらず、発光体用のＯＮ／ＯＦＦスイッチにより前記表示器を室内用ランプとして使用することができ、機能性の向上をはかることができる。
【発明を実施するための最良の形態】
【０００８】
以下、本発明の実施の形態について図を参照して説明する。
【実施例１】
【０００９】
図１は本発明の実施例１における空気清浄機の本体を示す外観図である。図２は空気清浄機の本体を示す側断面図である。図３は空気清浄機本体内部の吸気管とＬＥＤからなる発光表示体の斜視図である。図４は空気清浄機本体の排出口、吸気管の拡大断面図である。
【００１０】
本発明の空気清浄機は、図１および図２に示すように、空気の流れの上流側より吸気パネル１、吸気管２、フィルターや活性炭などの空気浄化部３、本体ケース４、および吸気用ファン５から構成されている。前記吸気パネル１には上面に吸気口６を設け、前記本体ケース４には、側面全周に排出口７を設けている。本体ケース４内部の吸気用ファン５によって、室内汚染空気８が吸気パネル１の吸気口６から吸気され、吸気管２、空気浄化部３を通って清浄化された後、本体ケース４の排出口７から清浄空気９として外部に排出される。
【００１１】
以下に、詳細な構成を説明する。
図３に示すように本体内の流路を形成する円筒形状の吸気管２を透明の樹脂にて成型することで透光体とし、吸気管２の両端もしくは一方の端に複数個の２色ＬＥＤ１０を設け発光表示体を形成している。ＬＥＤ１０の設置場所、設置個数については発光表示体１１の表示が本体ケース４の全周より確認できれば特に規制はない。また運転状態の一つとして、汚れレベルを検出する汚れセンサを本体ケース４内に設け、汚れレベルに応じて２色ＬＥＤ１０の発光色を変化させる構成とする。
前記２色ＬＥＤ１０の発光色は室内の汚れレベルが低い場合は緑色に発色させ、汚れレベルが高くなるに従って赤色に変化させていく。
上記のように、本体内の流路を形成する吸気管２を透光体として兼ねることにより、別部品として透光体を用いる必要がなくなる為に省スペース化とコストダウンを行うことができる。
【００１２】
また、図４に示すように本体ケース４の側面全周に排出口７が構成されており、本体全周から排出口７のスリットを通して吸気管２が視認可能となっているために、本体ケース４の前面方向に限らず、本体ケース４の背面方向もしくは左右方向など、本体ケース４のどの方向からでも発光表示体１１を確認でき、発光表示装置の視認性の向上を図ることができる。
【００１３】
実施例１では運転状態の一つとして汚れセンサにて汚れレベルを表示するものとしたが、運転モードごとにＬＥＤ１０の発光色が変化して、現在の運転モードを発光色により判別できるようにする運転モード表示装置や、空気中の湿度レベルを検出することができる湿度センサを本体内に設けることにより、空気中の湿度レベルを表示する湿度表示装置などとして発光表示装置を用いてもよい。
【００１４】
また、実施例１では２色ＬＥＤ１０を使用し、汚れレベルに応じて発光色を変化させていく方式としているが、１箇所に異なる発光色のＬＥＤ１０を複数個配置し、汚れレベルによって各ＬＥＤを点灯させる方式でも良い。例えば、緑、橙、赤の３色のＬＥＤを用いた場合は、空気が清浄な時は緑を点灯、やや汚れている時は橙を点灯、汚れのひどい時は赤を点灯させる方式などが考えられる。
【００１５】
さらに、実施例１では本体ケース４の側面全周にある排出口７のスリットを通して発光表示体１１が視認可能な構成としているが、本体ケース４の側面全周を透明の樹脂により成型することで本体ケース４のどの方向からでも発光表示体１１を確認できるようにし、発光表示装置の視認性の向上を図ってもよい。
上記内容では透光体の材質について触れていないが、アクリルや光ファイバーなど透明な材質で透光体として使用できるものであれば特に規制はない。また、上記実施例では発光表示体を円筒状としたが、全周の少なくとも正反対の位置に表示体が設けられればどの方向からも見ることが出来る。
【実施例２】
【００１６】
図５は空気清浄機本体の操作部の正面図である。
前述した実施例１では、吸気管２を透光体とし、吸気管２の両端もしくは一方の端に複数個の２色ＬＥＤ１０を設けた発光表示体１１を、汚れレベルを検出する汚れセンサにより室内の汚れレベルを表示する方法であったが、実施例２では、発光表示体１１を、室内用ランプとして使用する方法である。
【００１７】
照射用ＬＥＤ１０を室内用ランプとして使用可能な発光色とする。直接のランプの光とは違い、透光体による光であるため、適度な光のムードランプとして使用することが可能である。また、空気清浄機の本体の運転ＯＮ／ＯＦＦスイッチとは別に発光表示体１１のランプＯＮ／ＯＦＦスイッチを設ける。これにより、空気清浄機の本体が運転中／停止中に関わらず、自由なときに発光表示体１１のランプＯＮ／ＯＦＦスイッチにより空気清浄機の発光表示装置を室内用ムードランプとして用いることが可能である。
【００１８】
また、吸気管２の表面をシボ加工やスリット加工をすることにより光の強弱をつけることができ、ムードランプとしてより一層の効果を発揮することができる。
さらに、室内用ムードランプと汚れレベル表示の切り替えスイッチを設けることで、室内用ムードランプと汚れレベル表示を自由に選択することができ、機能性の向上を図ることができる。
【００１９】
上記の例では透光性のある筐体の内側に吸気管があり、その筐体にはスリットが形成されて排出口を成し、発光表示体を兼ねた透光体が吸気管全体を形成し、内部から筐体外へ光が発散される事例を示したが、これに限らず、透光体と発光表示体は分離してもよく、発光表示体は筐体に設けられてもよく、吸気管が筐体の一部を成してもよい。また、排出口は図１，２の本体ケースに設けてもよく、筐体にスリットがある場合は透明でなくともよい。
【図面の簡単な説明】
【００２０】
【図１】実施例１を示す空気清浄機の外観図
【図２】実施例１を示す空気清浄機の側断面図
【図３】本空気清浄機本体内部の吸気管とＬＥＤからなる発光表示体の斜視図
【図４】空気清浄機本体の排出口、吸気管の拡大断面図
【図５】空気清浄機本体の操作部の正面図
【図６】従来技術の空気清浄機発光表示装置の外観図
【符号の説明】
【００２１】
１  吸気パネル
２  吸気管
３  空気浄化部
４  本体ケース
５  吸気用ファン
６  吸気口
７  排出口
８  室内汚染空気
９  清浄空気
１０  照射用ＬＥＤ
１１  発光表示体
１２  本体操作部
１３  青色のＬＥＤ
１４  赤色のＬＥＤ
１５  透光体
【図１】
2007206430.tif 000003
【図２】
2007206430.tif 000004
【図３】
2007206430.tif 000005
【図４】
2007206430.tif 000006
【図５】
2007206430.tif 000007
【図６】
2007206430.tif 000008